(57)【要約】【課題】  多くの費用や手間を要することなく、金属製収納箱１の内部温度の上昇を抑制することができ、しかも、金属製収納箱１への取り付け及び取り外しを容易に行うことができる樹脂製カバー２を提供する。【解決手段】  樹脂製カバー２の裏面に永久磁石３を設け、永久磁石３を金属製収納箱１に吸着させることで樹脂製カバー２を金属製収納箱１の表面に取り付けて、金属製収納箱１の表面を樹脂製カバー２で覆う。そして、永久磁石３及び樹脂製カバー２を貫通する孔５ｃを設けるとともに、孔５ｃの少なくとも一部の内周面にネジ溝５ｄを設け、樹脂製カバー２の表面側から孔５ｃにネジ７を捩じ込むことにより、ネジ７の先端を金属製収納箱１に押圧させて、金属製収納箱１に吸着した永久磁石３を金属製収納箱１の表面から浮かせ、樹脂製カバー２を金属製収納箱１から取り外す。【選択図】  図７
2015088526.tif 000002
【特許請求の範囲】
【請求項１】
金属製収納箱の表面を覆う樹脂製カバーであって、
樹脂製カバーの裏面に永久磁石を設け、該永久磁石を前記金属製収納箱に吸着させることで該樹脂製カバーを該金属製収納箱の表面に取り付け、
該永久磁石及び樹脂製カバーを貫通する孔を設けるとともに、該孔の少なくとも一部の内周面にネジ溝を設け、該樹脂製カバーの表面側から該孔にネジを捩じ込むことにより該ネジの先端を該金属製収納箱に押圧させて、該金属製収納箱に吸着した該永久磁石を該金属製収納箱の表面から浮かせる、ことを特徴とする金属製収納箱の樹脂製カバー。
【請求項２】
請求項１に記載の金属製収納箱の樹脂製カバーにおいて、
前記永久磁石は前記樹脂製カバーの裏面から突出して設けられており、該永久磁石を吸着させて該樹脂製カバーを該金属製収納箱に取り付けた状態で、該樹脂製カバーの裏面と該金属製収納箱の表面著の間に隙間が形成されることを特徴とする金属製収納箱の樹脂製カバー。
【請求項３】
請求項１又は２に記載の金属製収納箱の樹脂製カバーにおいて、
ボルトを前記永久磁石及び前記樹脂製カバーを貫通させて設けるとともに、該ボルトの先端部にナットを螺合させて、該樹脂製カバーの裏面に該永久磁石を設け、
該ボルトを軸線方向に貫通する孔を設けるとともに、該孔の少なくとも一部の内周面にネジ溝を設けたことを特徴とする金属製収納箱の樹脂製カバー。
【請求項４】
請求項１又は２に記載の金属製収納箱の樹脂製カバーにおいて、
前記樹脂製カバーに開口を設けるとともに、該開口により一部を露呈させて前記永久磁石を該樹脂製カバーの裏面に接着させて設け、
該開口により露呈する部分に該永久磁石を貫通する孔を設けるとともに、該孔の少なくとも一部の内周面にネジ溝を設けたことを特徴とする金属製収納箱の樹脂製カバー。
【請求項５】
請求項１又は２に記載の金属製収納箱の樹脂製カバーにおいて、
前記永久磁石は先端部外周にネジ溝を設けた凸部を有しており、
前記樹脂製カバーに開口を設けるとともに、該開口により前記凸部を貫通させて前記永久磁石を該樹脂製カバーの裏面に設け、該凸部の先端部にナットを螺合させて該永久磁石を該樹脂製カバーに取り付け、
該凸部に該永久磁石を貫通する孔を設けるとともに、該孔の少なくとも一部の内周面にネジ溝を設けたことを特徴とする金属製収納箱の樹脂製カバー。
【発明の詳細な説明】
【技術分野】
【０００１】
本発明は、金属製収納箱の表面を覆う樹脂製カバーに関し、特に、電子機器や電気機器を収納する金属製の収容箱（キャビネット）を覆うに好適な樹脂製カバーに関する。
【背景技術】
【０００２】
例えば屋外に設置される種々な電子機器や電気機器は、一般的に金属製の収納箱に収納されて、利用に供されている。
例えば、自動販売機は金銭受領や商品払い出しなどに必要な電子・電気機器を金属製の箱体内に収納して設置され、また、エアコンの室外機は冷媒の圧縮や気化などに必要な電子・電気機器を金属製の箱体内に収納して設置され、また、キュービクルは変電所からの電力の受電などに必要な電子・電気機器を金属製の箱体内に収納して設置されている。
【０００３】
電子・電気機器は、温度が過度に上昇してしまうと誤動作してしまうため、温度上昇を抑制する手段を講じる必要がある。
特に、金属製収納箱に収納された電子・電気機器にあっては、金属は比較的熱伝導率が高いため、金属製収納箱が太陽の日差しを受けると内部温度がかなり高まり、収納された電子・電気機器の誤動作を生じさせてしまう虞が高い。
【０００４】
特許文献１には、発泡樹脂よりなる断熱パネルの背面の所定個所に永久磁石を嵌め込み固定しておき、鋼板製の簡易ハウスの天井面及び又は内壁面に該断熱パネルを吸着固定する簡易ハウス用断熱パネルの施工法が記載されている。
【０００５】
特許文献２には、軟質性断熱シート材の裏面に磁石シートを設けたものを自動車の屋根の鉄板に接着固定し、走行中の脱落にも耐えうる接着強度を持たせる自動車の着脱式断熱シート装置が記載されている。
【先行技術文献】
【特許文献】
【０００６】
【特許文献１】特開２００２−２５６６３０号公報
【特許文献２】特開２００９−１１３８００号公報
【発明の概要】
【発明が解決しようとする課題】
【０００７】
上記のような金属製収納箱による問題に対して、収納箱を樹脂製のものに交換する方法が考えられる。
すなわち、樹脂は金属に比べて熱伝導率が低いので、樹脂製の収納箱に電子機器や電気機器を収納することで、収納箱に太陽の日差しが当たっても内部温度の上昇が抑制され、収納された電子・電気機器の誤動作を防止することができる。
【０００８】
しかしながら、収納箱を樹脂製に交換する場合には、収納する機器に合わせて収納箱を新たに設計製作しなければならず、あるいは、既存の金属製収納箱から内部機器を樹脂製収納箱へ入れ換えを行わなければならず、多額の費用と多くの手間がかかってしまうという課題があった。
【０００９】
本発明は、上記従来の事情に鑑みなされたもので、多くの費用や手間を要することなく、金属製収納箱の内部温度の上昇を抑制することができる樹脂製カバーを提供することを目的とする。
また、本発明は、金属製収納箱への取り付け及び取り外しを容易に行うことができる樹脂製カバーを提供することを目的とする。
【課題を解決するための手段】
【００１０】
本発明は、金属製収納箱の表面を覆う樹脂製カバーであって、樹脂製カバーの裏面に永久磁石を設け、該永久磁石を前記金属製収納箱に吸着させることで該樹脂製カバーを該金属製収納箱の表面に取り付け、該永久磁石及び樹脂製カバーを貫通する孔を設けるとともに、該孔の少なくとも一部の内周面にネジ溝を設け、該樹脂製カバーの表面側から該孔にネジを捩じ込むことにより該ネジの先端を該金属製収納箱に押圧させて、該金属製収納箱に吸着した該永久磁石を該金属製収納箱の表面から浮かせる、ことを特徴とする。
【００１１】
本発明の樹脂製カバーによると、永久磁石を吸着させるといった簡単な作業によって樹脂製カバーを金属製収納箱の表面に取り付けることができ、これによって、熱伝導率が比較的低いカバーによって金属製収納箱の表面を覆い、太陽の日差しが当たっても収納箱の内部温度の上昇を抑制することができる。
【００１２】
ここに、樹脂製カバーで覆われる金属製収納箱は屋外に設置される場合が多いなどの事情もあり、実用上、樹脂製カバーは風雨などにも耐え得るよう強力な永久磁石を用いて金属製収納箱に取り付ける必要がある。
しかしながら、強力な永久磁石を用いた場合、金属製収納箱の内部機器を点検するなどの必要から、樹脂製カバーを取り外そうとしたときに、吸着した永久磁石が金属製収納箱から容易に剥がれず、作業が困難となってしまう問題や、樹脂製カバーを無理に抉って破損させてしまうといった問題がある。
【００１３】
これに対して、本発明の樹脂製カバーによると、上記の取り付け容易性に加えて、樹脂製カバーの表面側から永久磁石に設けられた孔にネジを捩じ込むといった簡単な作業によって、金属製収納箱に吸着した永久磁石を金属製収納箱の表面から浮かせ、樹脂製カバーを無理な力を加えずに容易に取り外すことができる。
なお、ネジを捩じ込む孔には、その全長に亘る内周面にネジ溝を設けた態様であっても、あるいは、その一部分の内周面にネジ溝を設けた態様であってもよく、要は、ネジがネジ溝に螺合して捩じ込まれればよい。
【００１４】
更に、本発明の樹脂製カバーは、永久磁石が樹脂製カバーの裏面から突出して設けられており、永久磁石を吸着させて樹脂製カバーを金属製収納箱に取り付けた状態で、樹脂製カバーの裏面と金属製収納箱の表面著の間に隙間が形成される態様とするのが好ましい。
このように隙間を形成することにより、当該隙間によって風通しがよくなり、また、当該隙間によって樹脂製カバーから金属製収納箱への断熱層が形成されることになり、金属製収納箱の内部温度上昇をより一層抑制することができる。
【００１５】
また、本発明の樹脂製カバーは、永久磁石を樹脂製カバーに取り付ける一態様として、ボルトを永久磁石及び樹脂製カバーを貫通させて設けるとともに、該ボルトの先端部にナットを螺合させて、該樹脂製カバーの裏面に該永久磁石を設け、該ボルトを軸線方向に貫通する孔を設けるとともに、該孔の少なくとも一部の内周面にネジ溝を設けるのが好ましい。
ここで、上記孔を設けたボルトを永久磁石及び樹脂製カバーを貫通させて設けることにより、永久磁石及び樹脂製カバーを貫通する孔が設けられる。
【００１６】
この態様によると、ボルトとナットとの螺合によって永久磁石が樹脂製カバーに取り付けられ、樹脂製カバーの表面側から、ボルトを貫通する孔にネジを捩じ込むことにより樹脂製カバーを無理な力を加えずに金属製収納箱から容易に取り外すことができる。
なお、この態様では、ボルトを樹脂製カバーの表面側から貫通させる構造と、ボルトを樹脂製カバーの裏面側から貫通させる構造のいずれであってもよい。
【００１７】
また、本発明の樹脂製カバーは、永久磁石を樹脂製カバーに取り付ける一態様として、樹脂製カバーに開口を設けるとともに、該開口により一部を露呈させて永久磁石を該樹脂製カバーの裏面に接着させて設け、該開口により露呈する部分に該永久磁石を貫通する孔を設けるとともに、該孔の少なくとも一部の内周面にネジ溝を設けるのが好ましい。
この態様によると、接着剤などを用いた接着によって永久磁石が樹脂製カバーに取り付けられ、樹脂製カバーの表面側から、永久磁石を貫通する孔にネジを捩じ込むことにより樹脂製カバーを無理な力を加えずに金属製収納箱から容易に取り外すことができる。
ここで、樹脂製カバーの開口から露呈する永久磁石部分に上記孔を設けることにより、永久磁石及び樹脂製カバーを貫通する孔が設けられる。
【００１８】
また、本発明の樹脂製カバーは、永久磁石を樹脂製カバーに取り付ける一態様として、永久磁石は先端部外周にネジ溝を設けた凸部を有しており、樹脂製カバーに開口を設けるとともに、該開口により該凸部を貫通させて該永久磁石を該樹脂製カバーの裏面に設け、該凸部の先端部にナットを螺合させて該永久磁石を該樹脂製カバーに取り付け、該凸部に該永久磁石を貫通する孔を設けるとともに、該孔の少なくとも一部の内周面にネジ溝を設けるのが好ましい。
ここで、樹脂製カバーの開口を貫通する永久磁石の凸部に上記孔を設けることにより、永久磁石及び樹脂製カバーを貫通する孔が設けられる。
この態様によると、永久磁石の凸部とナットとの螺合によって永久磁石が樹脂製カバーに取り付けられ、樹脂製カバーの表面側から、永久磁石を貫通する孔にネジを捩じ込むことにより樹脂製カバーを無理な力を加えずに金属製収納箱から容易に取り外すことができる。
【００１９】
ここで、本発明の樹脂製カバーは、種々な樹脂材料により形成することができるが、カバーとしての十分な強度及び耐久性をもたせるために繊維強化プラスチック（ＦＲＰ）で形成するのが好ましい。
また、本発明の樹脂製カバーは、樹脂成型品であることからも、必要に応じて種々な大きさや形状とすることができ、例えば、金属製収納箱をすっぽり覆う一面が開口した箱型のもの、金属製収納箱の２面を覆うように２枚の平板樹脂製カバーをＬ型に接続したもの、金属製収納箱の１面を覆う平板型のもの、金属製収納箱の１面を部分的に覆う小型の平板型のもの、など、金属製収納箱の大きさや形状、覆うべき範囲の大きさや位置などに応じて適宜設計される。
【発明の効果】
【００２０】
本発明によれば、多くの費用や手間を要することなく、金属製収納箱の内部温度の上昇を抑制することができ、しかも、金属製収納箱への取り付け及び取り外しを容易に行うことができる樹脂製カバーが実現される。
【図面の簡単な説明】
【００２１】
【図１】本発明の一実施形態に係る樹脂製カバーの斜視図である。
【図２】金属製収納箱の一例を示す斜視図である。
【図３】本発明の一実施形態に係る樹脂製カバーで金属製収納箱を覆った状態を示す図であり、（ａ）は側面図、（ｂ）は正面図である。
【図４】本発明の一実施形態に係る永久磁石を示す図であり、（ａ）は側面図、（ｂ）はその下方から見た平面図、（ｃ）はその上方から見た平面図である。
【図５】本発明の一実施形態に係るボルトを示す図であり、（ａ）は側面図、（ｂ）はその下方から見た平面図、（ｃ）はその上方から見た平面図である。
【図６】図３中の永久磁石による取り付け部を示す断面図である。
【図７】図４に示す永久磁石による取り付け部について、取り外し作業を説明する断面図である。
【図８】図４に示す永久磁石による取り付け部について、取り外し作業を説明する断面図である。
【図９】本発明の他の一実施形態に係る永久磁石を示す斜視図である。
【図１０】本発明の他の一実施形態に係る永久磁石による取り付け部を、図７に対応して示す断面図である。
【図１１】本発明の更に他の一実施形態に係る永久磁石を示す斜視図である。
【図１２】本発明の更に他の一実施形態に係る永久磁石による取り付け部を、図７に対応して示す断面図である。
【発明を実施するための形態】
【００２２】
本発明に係る樹脂製カバーの具体例を、実施形態に基づいて詳しく説明する。
図１乃至図８は、本発明の一実施形態に係る図である。
図２に示すように、本実施形態において、樹脂製カバーにより表面を覆う対象となる金属製収納箱１は、ほぼ方形をなしており、その上面１ａと正面１ｂが樹脂製カバーにより覆われる。
【００２３】
図１に示すように、本実施形態の樹脂カバー２は、平板をＬ字状に屈曲させた形状をなしており、一方の平板部２ａは金属製収納箱の上面１ａを覆い、他方の平板部２ｂは金属製収納箱の正面１ｂを覆う。
本実施形態では、後述のように、金属製収納箱１の上面１ａに樹脂製カバー２を磁石取り付けすることから、平板部２ａには磁石取り付け用の孔２ｃが貫通して設けられている。なお、本実施形態では、樹脂製カバー２は平板部２ａの２箇所で磁石取り付けされる。
【００２４】
本実施形態では、樹脂製カバー２を金属製収納箱１の上面１ａに磁石取り付けするが、本発明では、樹脂製カバー２を金属製収納箱１の任意の表面に磁石取り付けすることができる。
また、本発明では、樹脂製カバー２の形状や大きさは、必要に応じて種々設計すればよい。
【００２５】
また、本実施形態の樹脂カバー２はＦＲＰにより成形されたものであり、平板部２ａ、２ｂはそれぞれ金属製収納箱の上面１ａ、正面１ｂより若干大きな大きさとなっている。
また、樹脂製カバー２は金属製収納箱１に磁力による吸着で取り付けられることから、金属製収納箱１は、強磁性を示す金属（鉄、コバルト、ニッケル、これらを含む合金など）で形成されており、本実施形態では、鉄板により形成されている。
【００２６】
ここで、樹脂製カバー２は金属製収納箱１の表面に接して取り付けてもよく、これによっても樹脂製カバー２による温度上昇抑制効果を得ることができるが、本実施形態では、永久磁石３を樹脂製カバー２の裏面から突出して設け、永久磁石３を吸着させて樹脂製カバー２を金属製収納箱１に取り付けた状態で、樹脂製カバー２の裏面と金属製収納箱１の表面著の間に隙間Ｒが形成される。
これによって、樹脂製カバー２によって覆われた状態であっても、隙間Ｒを通る風によっても、金属製収納箱１の内部温度上昇が抑制される。
【００２７】
図３に示すように、樹脂製カバー２は、金属製収納箱１の表面を覆って設けられ、樹脂製カバー２の裏面に設けた永久磁石３を金属製収納箱の上面１ａに吸着させることで金属製収納箱１の表面に取り付けられる。
なお、図３中において、４は永久磁石３を金属製収納箱の上面１ａに取り付けるナットである。
【００２８】
図４に示すように、永久磁石３は、中心に貫通孔３ａを形成した円盤状をなしており、その下方側の面には貫通孔３ａに繋がる凹部３ｂが形成されている。
この永久磁石３は、屋外などに設置される金属製収納箱１に樹脂製カバー２を取り付けるものであるため、強力な吸着力を有するように磁化されている。
【００２９】
永久磁石３はナット４とボルトとの螺合により樹脂製カバー１の裏面に取り付けられるが、このボルト５は図５に示す構成となっている。
ボルト５は頭部５ａと外周面にネジ溝が形成された軸部５ｂを有しており、これら頭部５ａ及び軸部５ｂを貫通して、ボルト５を軸線方向に貫通する孔５ｃが形成されている。
【００３０】
孔５ｃの内周面には、全長に亘ってネジ溝５ｄが形成されている。なお、このネジ溝５ｄは孔５ｃの内周面の一部範囲に形成されていてもよい。
ボルト頭部５ａは、永久磁石の凹部３ｂに出っ張ることなく収容される大きさである。ボルト軸部５ｂは、永久磁石の貫通孔３ａ及び樹脂製カバーの磁石取り付け用孔２ｃを貫通した状態で、樹脂製カバーの上面２ａから突出してナット４と螺合する長さと軸径である。
【００３１】
図６乃至図７には、永久磁石３により樹脂製カバー２を金属製収納箱１に取り付ける部分の詳細を示してある。
永久磁石３は、樹脂製カバー（上面２ａ）の裏面に、次のようにして予め取り付けられる。
まず、樹脂カバー２の裏面に磁石取り付け用孔２ｃと貫通孔３ａを合わせて永久磁石３を置き、樹脂カバー２の裏面側から、ボルト軸部５ｂを貫通孔３ａ及び磁石取り付け用孔２ｃを貫通させ、ボルト頭部５ａを永久磁石凹部３ｂに収める。
【００３２】
そして、磁石取り付け用孔２ｃから樹脂カバー２の表面に突出したボルト軸部５ｂの先端に、円環状の座金６を介してナット４を螺合させて締結させる。
これにより、永久磁石３は樹脂製カバー２の裏面に強固に取り付けられる。
このように永久磁石３が樹脂製カバー２の裏面に取り付けられた状態では、永久磁石３は樹脂製カバー２の裏面から突出しており、また、ボルト頭部５ａは永久磁石３の下面から出っ張っていない。
【００３３】
次いで、永久磁石３を取り付けた樹脂製カバー２を金属製収納箱１に被せ、図６に示すように、永久磁石３を樹脂製カバー（上面２ａ）に吸着させて、樹脂製カバー２を金属製収納箱１に固定して取り付ける。
この状態では、ボルト頭部５ａが邪魔することなく永久磁石３が金属製収納箱１に吸着するため、磁力による強固な取り付けがなされる。更に、永久磁石３の存在によって、樹脂製カバー２の裏面と金属製収納箱１の表面著の間に隙間Ｒが形成される。
【００３４】
このように強力な永久磁石３によって樹脂製カバー２は金属製収納箱１に強固に取り付けられるが、この樹脂製カバー２を金属製収納箱１から取り外す場合には、図７に示すように、ネジ７を用いる。
ネジ７は頭部７ａと外周面にネジ溝が形成された軸部７ｂを有している。ネジ軸部７ｂは、ボルトのネジ溝５ｄに螺合して貫通孔５ｃに捩じ込まれる軸径を有し、ボルト５の全長より長い長さを有している。
【００３５】
永久磁石３によって樹脂製カバー２が金属製収納箱１に取り付けられた状態において、図８に示すように、ネジ７をボルト５の先端側から貫通孔５ｃに捩じ込み、これにより、ネジ７の先端をボルト頭部５ａから突出させて金属製収納箱１の表面を押圧させ、金属製収納箱１に吸着した永久磁石３を金属製収納箱１の表面から浮かせる。
これにより、金属製収納箱１への永久磁石３の吸着力が減少し、樹脂製カバー２を金属製収納箱１から容易に取り外すことができる。
【００３６】
図９及び図１０は、本発明の他の一実施形態に係る図である。
なお、本実施形態の説明において、上記の実施形態と重複する説明は省略する。
本実施形態において、樹脂製カバー２を金属製収納箱１に取り付ける永久磁石は、図９に示す構成となっている。すなわち、永久磁石１３は、円盤部１３ａの中心に円筒部１３ｂが突出した形状をなしており、円盤部１３ａ及び円筒部１３ｂを貫通する貫通孔１３ｃが形成されている。そして、この貫通孔１３ｃの内周面には、全長に亘ってネジ溝１３ｄが形成されている。なお、このネジ溝１３ｄは貫通孔１３ｃの内周面の一部範囲に形成されていてもよい。
【００３７】
永久磁石１３は、樹脂製カバー（上面２ａ）の裏面に、次のようにして予め取り付けられる。
樹脂製カバーの磁石取り付け用孔２ｃに円筒部１３ｂを差し込んで、樹脂製カバー２の裏面に永久磁石１３を接着剤により接着固定して取り付ける。この場合、円盤部１３ａが樹脂製カバー２に接着されることに加えて、円筒部１３ｂを孔２ｃに挿入した状態で樹脂製カバー２に接着することができ、永久磁石１３を樹脂製カバー２に強固に取り付けることができる。
なお、本発明では、例えば、円筒部１３ｂを設けずに、円盤部１３ａだけの永久磁石として、円盤部１３ａの貫通孔１３ｃを取り付け用孔２ｃから樹脂製カバーの表面側に露呈させてもよい。
【００３８】
本実施形態においても、図１０に示すように、永久磁石１３を樹脂製カバー（上面２ａ）に吸着させて、樹脂製カバー２を金属製収納箱１に固定して取り付ける。
この状態では、永久磁石１３の強力な磁力により強固な取り付けがなされ、更に、永久磁石１３の存在によって、樹脂製カバー２の裏面と金属製収納箱１の表面著の間に隙間Ｒが形成される。
【００３９】
本実施形態においても、このように強力な永久磁石１３によって樹脂製カバー２は金属製収納箱１に強固に取り付けられるが、この樹脂製カバー２を金属製収納箱１から取り外す場合には、上記の実施形態と同様にネジ７を用いる。
なお、ネジ軸部７ｂは、ネジ溝１３ｄに螺合して貫通孔１３ｃに捩じ込まれる軸径を有し、貫通孔１３ｃの全長より長い長さを有している。
【００４０】
永久磁石１３によって樹脂製カバー２が金属製収納箱１に取り付けられた状態において、ネジ７を樹脂製カバー２の表面側から貫通孔１３ｃに捩じ込み、これにより、ネジ７の先端を永久磁石１３の下面から突出させて金属製収納箱１の表面を押圧させ、金属製収納箱１に吸着した永久磁石１３を金属製収納箱１の表面から浮かせる。
これにより、金属製収納箱１への永久磁石１３の吸着力が減少し、樹脂製カバー２を金属製収納箱１から容易に取り外すことができる。
【００４１】
図１１及び図１２は、本発明の更に他の一実施形態に係る図である。
なお、本実施形態の説明において、上記の実施形態と重複する説明は省略する。
本実施形態は、図９及び図１０に示した実施形態において、樹脂製カバー２への永久磁石の取り付け構造を、接着から螺合に変更したものである。
【００４２】
本実施形態において、樹脂製カバー２を金属製収納箱１に取り付ける永久磁石は、図１１に示す構成となっている。すなわち、永久磁石２３は、円盤部２３ａの中心に円筒部２３ｂが凸部として突出した形状をなしており、円盤部１３ａ及び円筒部１３ｂを貫通する貫通孔２３ｃが形成されている。
【００４３】
そして、この貫通孔２３ｃの内周面には、全長に亘ってネジ溝２３ｄが形成されている。なお、このネジ溝２３ｄは貫通孔２３ｃの内周面の一部範囲に形成されていてもよい。
また、円筒部２３ｂの少なくとも先端部の外周にはネジ溝２３ｅが形成されており、この円筒部２３ｂは樹脂製カバー２の厚さより大きい長さを有して、円筒部２３ｂを樹脂製カバーの取り付け用孔を貫通させたときに先端部のネジ溝部２３ｅが樹脂製カバー２の表面から突出する。
【００４４】
永久磁石２３は、樹脂製カバー（上面２ａ）の裏面に、次のようにして予め取り付けられる。
樹脂製カバーの裏面側から円筒部２３ｂを磁石取り付け用孔２ｃに差し込んで樹脂製カバーの表面に先端部を突出させ、樹脂製カバー２の裏面に永久磁石２３を位置させる。そして、樹脂カバー２の表面に突出したネジ溝部２３ｅに、円環状の座金６を介してナット４を螺合させて締結させる。
これにより、永久磁石２３は樹脂製カバー２の裏面に強固に取り付けられる。
【００４５】
本実施形態においても、図１２に示すように、永久磁石２３を樹脂製カバー（上面２ａ）に吸着させて、樹脂製カバー２を金属製収納箱１に固定して取り付ける。
この状態では、永久磁石２３の強力な磁力により強固な取り付けがなされ、更に、永久磁石２３の存在によって、樹脂製カバー２の裏面と金属製収納箱１の表面著の間に隙間Ｒが形成される。
【００４６】
本実施形態においても、このように強力な永久磁石２３によって樹脂製カバー２は金属製収納箱１に強固に取り付けられるが、この樹脂製カバー２を金属製収納箱１から取り外す場合には、上記の実施形態と同様にネジ７を用いる。
永久磁石２３によって樹脂製カバー２が金属製収納箱１に取り付けられた状態において、ネジ７を樹脂製カバー２の表面側から貫通孔２３ｃに捩じ込み、これにより、ネジ７の先端を永久磁石２３の下面から突出させて金属製収納箱１の表面を押圧させ、金属製収納箱１に吸着した永久磁石２３を金属製収納箱１の表面から浮かせる。
これにより、金属製収納箱１への永久磁石２３の吸着力が減少し、樹脂製カバー２を金属製収納箱１から容易に取り外すことができる。
【産業上の利用可能性】
【００４７】
本発明の樹脂製カバーは、電子機器や電気機器を収納する金属製収納箱に広く適用することができ、特に屋外に設置される場合が多い自動販売機、エアコンの室外機、キュービクルなどのカバーに適用して好適である。
【符号の説明】
【００４８】
１：金属製収納箱、    １ａ：金属製収納箱の上面、
１ｂ：金属製収納箱の正面、    ２：樹脂製カバー、
２ｃ：磁石取り付け用孔、    ３：永久磁石、
３ａ：貫通孔、    ４：ナット、
５：ボルト、    ５ｃ：貫通孔、
５ｄ：ネジ溝、    ７：ネジ、
１３：永久磁石、    １３ｃ：貫通孔、
１３ｄ：ネジ溝、    ２３：永久磁石、
２３ｂ：円筒部（凸部）、    ２３ｃ：貫通孔、
２３ｄ：ネジ溝、    ２３ｅ：ネジ溝、
Ｒ：隙間
【図１】
2015088526.tif 000003
【図２】
2015088526.tif 000004
【図３】
2015088526.tif 000005
【図４】
2015088526.tif 000006
【図５】
2015088526.tif 000007
【図６】
2015088526.tif 000008
【図７】
2015088526.tif 000009
【図８】
2015088526.tif 000010
【図９】
2015088526.tif 000011
【図１０】
2015088526.tif 000012
【図１１】
2015088526.tif 000013
【図１２】
2015088526.tif 000014